(57)【要約】【課題】静止画像の符号化時に存在する画質劣化を短時間に回復させ良好な静止画像を得ること。【解決手段】ＩＮＴＥＲ／ＩＮＴＲＡ判定部１１１は、マクロブロックデータ１２０がイントラ符号化の対象であるか否かを判断し、それに基づきスイッチ１１２を切り替え制御するが、ディジタル入力画像が動画像である場合は、スイッチ１１２をフレームメモリ１０８側に切り替え、動ベクトル分だけ補正した予測参照画像を減算器１０２に入力させる。一方、ディジタル入力画像が静止画像である場合は、スイッチ１１２を設定値“０”側に切り替え、画素値ゼロを減算器１０２に入力させる。【選択図】      図１
2005012630.tif 000002
【特許請求の範囲】
【請求項１】
入力ディジタル画像信号をブロックに分割する分割手段と、１ピクチャに含まれる前記ブロックのうち、現ブロックをイントラ符号化するか否かを判定するとともに、前記入力ディジタル画像が静止画像であることを通知された場合に、イントラ符号化するブロック数を動画像に適用するブロック数以上の所定値に設定するイントラ符号化判定手段と、
イントラ符号化すると判定された前記現ブロックをイントラ符号化する画像符号化手段と、を具備することを特徴とする画像符号化装置。
【請求項２】
１ピクチャ内のイントラ符号化を実施したブロックの発生符号量を計数する計数手段を具備し、
前記イントラ符号化判定手段は、入力ディジタル画像が静止画像であるとの通知を受けた場合に、イントラ符号化したブロック数が前記所定値を超えているが、前記計数手段の計数した発生符号量が閾値を超えていないときは超えるまでイントラ符号化し続けると決定することを特徴とする請求項１記載の画像符号化装置。
【請求項３】
１ピクチャに含まれるブロックのうち現ブロックが重要な領域に含まれているか否かを判定する重要領域判定手段を具備し、
前記イントラ符号化判定手段は、前記重要領域判定手段が生成した重要ブロック情報に基づき、ブロックのイントラ符号化判定順序を決定し、重要なブロックから順にイントラ符号化対象とする決定を行うことを特徴とする請求項１記載の画像符号化装置。
【発明の詳細な説明】
【０００１】
【発明の属する技術分野】
本発明は、画像符号化装置に係り、特にイントラ符号化を用いて画像回復を行う画像符号化装置に関する。
【０００２】
【従来の技術】
テレビ電話やテレビ会議で利用されている画像符号化方式は、１９９３年３月に勧告されたＩＴＵ−Ｔ  Ｒｅｃｃｏｍｅｎｄａｔｉｏｎにて規定された国際標準であるＨ．２６１に準拠している。Ｈ．２６１では、非特許文献１に説明されているように、要素技術として、動き補償予測方式と離散コサイン変換方式と可変長符号化方式との３つを採用している。以下にその概要を説明する。
【０００３】
動き補償予測方式は、入力画像ピクチャと前符号化ピクチャとを比較し、その間の動きを測定（動き検出）する方式である。その動き量と前符号化ピクチャとから入力画像ピクチャを予測し、この予測された画像（予測画像）と入力画像ピクチャとの差分（予測誤差信号）を算出し、その予測誤差信号と検出した動き量とを受信側に伝送する。これにより、少ないデータ量で画像情報が伝送できるようになる。
【０００４】
離散コサイン変換方式は、前述の予測誤差信号を周波数領域に変換する方式である。予測誤差信号は、周波数領域に変換すると、ある特定の領域（低周波領域）にパワーが集中する特徴がある。この特徴を活かし、次に述べる可変長符号化方式と組み合わせることにより、さらに少ないデータ量で画像情報が伝送できるようになる。
【０００５】
可変長符号化方式は、ある特定の周波数にパワーが偏ることを利用し、出現頻度の高い周波数の係数は短い符号長で表現し、出現頻度の低い周波数の係数は長い符号長で表現することにより、平均符号長を短くする方式である。
【０００６】
前記三つの要素技術は、画像ピクチャ全体に適用するのではなく、ピクチャを１６×１６画素のブロック（マクロブロック）に分割し、その分割したマクロブロック毎に適用される。
【０００７】
また、伝送誤りによる画質劣化を抑制するための技術として、従来の画像符号化装置では、サイクリック・リフレッシュ・イントラ符号化方式が採用されている。図８は、従来の画像符号化装置で採用されているサイクリック・リフレッシュ・イントラ符号化でのマクロブロックの配置例を示す図である。
【０００８】
イントラ符号化は、前ピクチャを用いた予測誤差を符号化する方法ではなく、現マクロブロックの画素の値をそのまま離散コサイン変換し、可変長符号化を行う方法である。そして、サイクリック・リフレッシュ・イントラ符号化方式では、例えば図８に示すように、１ピクチャに含まれるマクロブロックのうち複数のマクロブロック（図８では３個のマクロブロック）をリフレッシュマクロブロックとして規定し、このリフレッシュマクロブロックを連続するピクチャにおいて順々に更新することにより、連続するピクチャにおけるリフレッシュマクロブロックにおいて前記の予測符号化を用いないイントラ符号化が行われる。
【０００９】
これによって、前ピクチャにおいて伝送誤りが発生しても、このイントラ符号化されたマクロブロックが伝送されると、伝送誤りの伝播が防止される。つまり、サイクリック・リフレッシュ・イントラ符号化によって、伝送誤りによる画質劣化を防ぐことができる。
【００１０】
【非特許文献１】
ＩＴＵ−Ｔ  Ｒｅｃｏｍｍｅｎｄａｔｉｏｎ  Ｈ．２６１    Ｖｉｄｅｏ  ｃｏｄｅｃ  ｆｏｒ  ａｕｄｉｏｖｉｓｕａｌ  ｓｅｒｖｉｃｅｓ  ａｔ  ｐ  ｘ  ６４  ｋｂｉｔ／ｓ    １９９３年
【００１１】
【発明が解決しようとする課題】
しかしながら、従来の画像符号化装置では、通常、動画像を符号化する場合には、符号化の際にサイクリック・リフレッシュ以外にもイントラ符号化を実施する場合があるが、代理応答画像のような静止画像を符号化する場合には、サイクリック・リフレッシュ以外のイントラ符号化を行う場合が殆どなくなるようになっている。
【００１２】
サイクリック・リフレッシュ・イントラ符号化方式では、１ピクチャ全体をリフレッシュするためには、１ピクチャ内のリフレッシュ対象とするマクロブロックの数をＭ個、１ピクチャに含まれるマクロブロックの数をＮ個とすると、（Ｎ／Ｍ）ピクチャかかる。
【００１３】
つまり、通常の動きのある動画像を符号化する場合には、画像の動きによって以前のピクチャとの差分が大きい場合などが、サイクリック・リフレッシュ・イントラ符号化による以外のイントラ符号化が発生するために、画質の劣化の回復時間が短くなるが、代理応答画像のような静止画像の符号化では、通常、サイクリック・リフレッシュ・イントラ符号化以外のイントラ符号化が殆どなくなるために、静止画像の先頭の画像に伝送誤りの影響が出ると、リフレッシュされるまでの時間がかかり、画質劣化を生じた部分が長い時間画面表示されてしまうという問題があった。
【００１４】
本発明は、かかる点に鑑みてなされたものであり、静止画像の符号化時に存在する画質劣化を短時間に回復させ良好な静止画像を得ることのできる画像符号化装置を提供することを目的とする。
【００１５】
【課題を解決するための手段】
本発明に係る画像符号化装置は、入力ディジタル画像信号をブロックに分割する分割手段と、１ピクチャに含まれる前記ブロックのうち、現ブロックをイントラ符号化するか否かを判定するとともに、前記入力ディジタル画像が静止画像であることを通知された場合に、イントラ符号化するブロック数を動画像に適用するブロック数以上の所定値に設定するイントラ符号化判定手段と、イントラ符号化すると判定された前記現ブロックをイントラ符号化する画像符号化手段とを具備する構成を採る。
【００１６】
この構成によれば、代理応答画像などの静止画像を符号化する際に、イントラ符号化するブロックを増加することができるので、エラーが発生した場合の回復時間を早めることができる。
【００１７】
本発明に係る画像符号化装置は、上記の発明において、１ピクチャ内のイントラ符号化を実施したブロックの発生符号量を計数する計数手段を具備し、前記イントラ符号化判定手段は、入力ディジタル画像が静止画像であるとの通知を受けた場合に、イントラ符号化したブロック数が前記所定値を超えているが、前記計数手段の計数した発生符号量が閾値を超えていないときは超えるまでイントラ符号化し続けると決定する構成を採る。
【００１８】
この構成によれば、代理応答画像などの静止画像を符号化する際に、イントラ符号化するブロックを増加することができ、さらに１フレーム中のイントラ符号化するブロック数が改善できるので、エラーが発生した場合の回復時間をさらに早めることができる。
【００１９】
本発明に係る画像符号化装置は、上記の発明において、１ピクチャに含まれるブロックのうち現ブロックが重要な領域に含まれているか否かを判定する重要領域判定手段を具備し、前記イントラ符号化判定手段は、前記重要領域判定手段が生成した重要ブロック情報に基づき、ブロックのイントラ符号化判定順序を決定し、重要なブロックから順にイントラ符号化対象とする決定を行うという構成を採る。
【００２０】
この構成によれば、代理応答画像などの静止画像を符号化する際に、イントラ符号化するブロックを増加することができ、さらに重要領域を優先してイントラ符号化するので、エラーが発生した場合の回復時間を早めることができ、同時に画像中の重要領域を先に回復することができるようになる。
【００２１】
【発明の実施の形態】
本発明の骨子は、入力画像が静止画像である場合は、サイクリック・リフレッシュ・イントラ符号化を行うマクロブロックの数を増加させ、静止画像の画質劣化が発生した部分の回復が早くなるようにすることである。
【００２２】
以下、本発明の実施の形態について、添付図面を参照して詳細に説明する。
【００２３】
（実施の形態１）
図１は、本発明の実施の形態１に係る画像符号化装置の構成を示すブロック図である。
【００２４】
図１に示すように、本実施の形態１に係る画像符号化装置は、ディジタル入力画像を受けるマクロブロック変換部１０１と、マクロブロック変換部１０１の出力を一方の入力とする減算器１０２と、減算器１０２の出力を受ける離散コサイン変換部１０３と、離散コサイン変換部１０３の出力を受ける量子化部１０４と、量子化部１０４の出力を受ける逆量子化部１０５と、逆量子化部１０５の出力を受ける逆離散コサイン変換部１０６と、逆離散コサイン変換部１０６の出力を一方の入力とする加算器１０７と、加算器１０７の出力を受けるフレームメモリ１０８と、マクロブロック変換部１０１の出力とフレームメモリ１０８の出力とを受ける動き検出部１０９と、量子化部１０４の出力と動き検出部１０９の出力とを受ける可変長符号化部１１０と、静止画情報が入力されるＩＮＴＥＲ／ＩＮＴＲＡ判定部１１１と、ＩＮＴＥＲ／ＩＮＴＲＡ判定部１１１の出力を制御信号として受けて、フレームメモリ１０８の出力と設定値“０”とを切り替えて減算器１０２の他方の入力と加算器１０７の他方の入力とに与えるスイッチ１１２とを備えている。
【００２５】
次に、図１、図２を参照して、以上のように構成された画像符号化装置の動作について説明する。なお、図２は、図１に示す画像符号化装置にて実施するサイクリック・リフレッシュ・イントラ符号化でのマクロブロックの配置例を示す図である。
【００２６】
ディジタル入力画像は、マクロブロック変換部１０１において、１６×１６画素サイズのブロック（輝度信号）と８×８画素サイズのブロック（色差信号）とに分割され、マクロブロックデータ１２０として減算器１０２と動き検出部１０９とに出力される。フレームメモリ１０８には、後述するように加算器１０７から入力された前ピクチャおよび現在のローカル再生画像が保存されている。
【００２７】
動き検出部１０９は、マクロブロックデータ１２０とフレームメモリ１０８に格納される前ピクチャの同位置のマクロブロックとの差分とを取り、現マクロブロックの動きベクトル１２２を出力する。
【００２８】
一方、減算器１０２では、マクロブロックデータ１２０とスイッチ１１２の出力との差分が算出される。減算器１０２の出力は、離散コサイン変換部１０３にてＤＣＴ係数に変換され、量子化部１０４にて量子化される。
【００２９】
量子化部１０４にて量子化された係数は、逆量子化部１０５にて逆量子化されてＤＣＴ係数となり、逆離散コサイン変換部１０６にて差分値となり、加算器１０７に入力される。
【００３０】
また、量子化部１０４にて量子化された係数は、可変長符号化部１１０にて、動き検出部１０９が出力する動きベクトル１２２とともに可変長符号に符号化されて出力される。
【００３１】
加算器１０７では、逆離散コサイン変換部１０６にて得られた差分値とスイッチ１１２の出力とが加算され、現ピクチャの画像としてフレームメモリ１０８に記憶される。
【００３２】
以上の動作過程において、ＩＮＴＥＲ／ＩＮＴＲＡ判定部１１１は、ディジタル入力画像が静止画像であるか否かを通知する静止画情報を受けて、現マクロブロックであるマクロブロックデータ１２０がイントラ符号化の対象である静止画像であるか、イントラ符号化の対象でない動画像であるかを判定し、その判定結果に基づきスイッチ１１２を切替制御する。
【００３３】
即ち、ディジタル入力画像が動画像である場合は、スイッチ１１２をフレームメモリ１０８側に切り替え、動ベクトル分だけ補正した予測参照画像を減算器１０２に入力させる。一方、ディジタル入力画像が静止画像である場合は、スイッチ１１２を設定値“０”側に切り替え、画素値ゼロを減算器１０２に入力させる。
【００３４】
ここで、ＩＮＴＥＲ／ＩＮＴＲＡ判定部１１１は、例えば図２に示すように、１ピクチャにリフレッシュを実施するマクロブロック数として、動画像でのマクロブロック数Ｍよりも静止画像でのマクロブロック数Ｍ’の方を大きな値にして管理している。なお、図２では、Ｍ＝３、Ｍ’＝６となっている。また、１ピクチャの全マクロブロック数Ｎは、図２では、Ｎ＝９９となっている。
【００３５】
サイクリック・リフレッシュ・イントラ符号化では、リフレッシュ番号の小さなマクロブロックから順にリフレッシュ対象として、最大の番号に達すると再度リフレッシュ番号の小さなマクロブロックからリフレッシュ対象とすることが繰り返される。
【００３６】
ＩＮＴＥＲ／ＩＮＴＲＡ判定部１１１は、分割されたマクロブロックのリフレッシュ順番を管理し、サイクリック・リフレッシュ・イントラ符号化を例えば図２に示すように実施する。
【００３７】
図２では、第１ピクチャ〜第５ピクチャまでが静止画像で、第６ピクチャ以降が動画像である場合が示されている。図２に示すように、第１ピクチャ〜第５ピクチャまでの静止画像では、Ｍ’個のマクロブロックをリフレッシュ対象として順々に選択する。そして、動画像に変わった第６ピクチャでは、静止画像について最後にリフレッシュを実施したマクロブロックの次のマクロブロックからＭ個のマクロブロックをリフレッシュ対象として選択する。
【００３８】
要するに、ＩＮＴＥＲ／ＩＮＴＲＡ判定部１１１は、図２に示す例で言えば、第１ピクチャ〜第５ピクチャまでの静止画像では、Ｍ’個のマクロブロックにおいてスイッチ１１２に設定値“０”を選択させ、第６ピクチャ以降の動画像ではＭ個のマクロブロックにおいてスイッチ１１２にフレームメモリ１０８の出力を選択させるようにしている。
【００３９】
その結果、現マクロブロックであるマクロブロックデータ１２０が第１ピクチャ〜第５ピクチャまでの静止画像である場合は、減算器１０２では、Ｍ’個のマクロブロックにおいてその静止画像とスイッチ１１２を介して入力される設定値“０”との差分が算出され、その差分値が離散コサイン変換部１０３に出力される。また、加算器１０７では、Ｍ’個のマクロブロックにおいて逆離散コサイン変換部１０６にて得られた差分値とスイッチ１１２を介して入力される設定値“０”とが加算され、その加算値がフレームメモリ１０８に格納される。
【００４０】
そして、マクロブロックデータ１２０が第６ピクチャ以降の動画像である場合は、減算器１０２では、Ｍ個のマクロブロックにおいてその動画像とスイッチ１１２を介して入力されるフレームメモリ１０８からの予測参照画像との差分が算出され、その差分値が離散コサイン変換部１０３に出力される。また、加算器１０７では、Ｍ個のマクロブロックにおいて逆離散コサイン変換部１０６にて得られた差分値とスイッチ１１２を介して入力されるフレームメモリ１０８からの予測参照画像とが加算され、その加算値がフレームメモリ１０８に格納される。
【００４１】
このように、本実施の形態１に係る画像符号化装置では、入力画像が静止画像の場合は、イントラ符号化するマクロブロック数を動画像の場合よりも増やすようにしたので、画質劣化した部分の回復が早くなり、良好な静止画像を得ることができる。
【００４２】
（実施の形態２）
図３は、本発明の実施の形態２に係る画像符号化装置の構成を示すブロック図である。なお、図３では、図１に示した構成と同一ないしは同等である要素には、同一の符号が付されている。ここでは、本実施の形態２に関わる部分を中心に説明する。
【００４３】
図３に示す実施形態２に係る画像符号化装置では、図１に示した構成において、イントラマクロブロック発生符号量計数部３０１が設けられ、それに伴い可変長符号化部１１０に代えて可変長符号化部３０２が設けられ、ＩＮＴＥＲ／ＩＮＴＲＡ判定部１１１に代えてＩＮＴＥＲ／ＩＮＴＲＡ判定部３０３が設けられている。
【００４４】
次に、図３、図４を参照して、以上のように構成された画像符号化装置の動作について説明する。なお、図４は、図３に示す画像符号化装置にて実施するサイクリック・リフレッシュ・イントラ符号化でのマクロブロックの配置例を示す図である。
【００４５】
可変長符号化部３０２は、量子化部１０４の出力からイントラ符号化が行われたブロックを検出し、イントラマクロブロック発生符号量係数部３０１に与える。イントラマクロブロック発生符号量計数部３０１は、可変長符号化部３０２から入力される１ピクチャ内のイントラ符号化を実施したブロックの発生符号量を計数し、ＩＮＴＥＲ／ＩＮＴＲＡ判定部３０３に与える。
【００４６】
ＩＮＴＥＲ／ＩＮＴＲＡ判定部３０３は、イントラマクロブロック発生符号量計数部３０１から入力されるイントラ符号化によるマクロブロック発生符号量の閾値ＴＨを１フレーム辺りの発生符号量を基準に設定している。ここでは、マクロブロック発生符号量の閾値ＴＨは、例えば、１フレーム辺りの発生符号量の６０％とする。
【００４７】
ＩＮＴＥＲ／ＩＮＴＲＡ判定部３０３が管理する１ピクチャにリフレッシュを実施するマクロブロック数は、動画像では実施の形態１と同様にＭ個（図４では３個）であり、実施の形態１と同内容に制御する。一方、静止画像では、基本的には、実施の形態１と同様にＭ＜Ｍ’なるＭ’個（図４では６個）であるが、イントラマクロブロック発生符号量計数部３０１が係数したマクロブロック符号量と閾値ＴＨとの関係に応じて、次のように制御する。
【００４８】
即ち、入力画像が静止画の場合には、現在ピクチャでリフレッシュ対象としたマクロブロック数がＭ’個よりも多いが、イントラマクロブロックの発生符号量が閾値ＴＨよりも小さい場合には、リフレッシュ対象の順番のマクロブロックをリフレッシュ対象として選択する。
【００４９】
具体的には、ＩＮＴＥＲ／ＩＮＴＲＡ判定部３０３は、入力画像が静止画像である場合に、イントラ符号化したブロック数が所定数（Ｍ’＝６）を超えるが、イントラマクロブロック発生符号量計数部３０１が計数した発生量が閾値ＴＨを超えない場合は、超えるまでイントラ符号化し続けるようにスイッチ１１２を制御するようになっている。
【００５０】
図４において、リフレッシュを実施するマクロブロック数は、第１ピクチャでは８個、第２ピクチャでは１０個、第３ピクチャは本来の６個、最後の第５ピクチャでは７個になっており、全て、６個以上となっている。
【００５１】
このように、本実施の形態２に係る画像符号化装置では、イントラマクロブロックの発生符号量を計数して静止画符号化時のイントラ符号化するマクロブロックを実施の形態１にて採用した所定値Ｍ’以上に増やすようにしたので、画質劣化した部分の回復が実施の形態１の場合よりもさらに早くなり、良好な静止画像を得ることができる。
【００５２】
（実施の形態３）
図５は、本発明の実施の形態３に係る画像符号化装置の構成を示すブロック図である。なお、図５では、図１に示した構成と同一ないしは同等である構成要素には、同一の符号が付されている。ここでは、この実施の形態３に関わる部分を中心に説明する。
【００５３】
図５に示す実施形態３に係る画像符号化装置では、図１に示した構成において、重要領域判定部５０１が設けられ、それに伴いＩＮＴＥＲ／ＩＮＴＲＡ判定部１１１に代えてＩＮＴＥＲ／ＩＮＴＲＡ判定部５０２が設けられている。
【００５４】
次に、図５〜図７を参照して、以上のように構成された画像符号化装置の動作について説明する。なお、図６、図７は、図５に示す画像符号化装置にて実施するサイクリック・リフレッシュ・イントラ符号化を説明する図である。
【００５５】
図６（Ａ）に示すように、原画には文字情報が多重される文字情報多重領域が設けられている。そして、図６（Ｂ）に示すように、入力画像のうち代理応答画像として用意される静止画は、原画に対し文字配置情報が多重して用意される。
代理応答画像において文字配置情報は、現画像が代理応答画像であることを通知する重要な情報となる。
【００５６】
重要領域判定部５０１には、この文字配置情報が外部から入力されている。重要領域判定部５０１は、この文字配置情報によって該当領域を含むマクロブロックを重要領域マクロブロックとしてＩＮＴＥＲ／ＩＮＴＲＡ判定部５０２に通知する。
【００５７】
ＩＮＴＥＲ／ＩＮＴＲＡ判定部５０２が管理する１ピクチャにリフレッシュを実施するマクロブロック数は、動画像では実施の形態１と同様にＭ個（図８では３個）であり、実施の形態１と同様に制御する。一方、静止画像では、基本的には、実施の形態１と同様にＭ＜Ｍ’なるＭ’個（図７では６個）であるが、全フレームイントラ符号化を行う場合がある。
【００５８】
また、ＩＮＴＥＲ／ＩＮＴＲＡ判定部５０２は、静止画像でのリフレッシュ順番を、実施の形態１とは異なり、重要領域判定部５０１から通知された重要マクロブロック情報に従い、より重要なマクロブロックから順に決定する。
【００５９】
そして、ＩＮＴＥＲ／ＩＮＴＲＡ判定部５０２は、全フレームイントラ符号化を行う場合には、最後にリフレッシュを実施したマクロブロックの順番をリセットし、次のピクチャからは最もリフレッシュ順番の小さなマクロブロックから順にリフレッシュ対象とするようにしている。
【００６０】
図７において、第１ピクチャでは、全マクロブロックイントラが行われている。第２ピクチャと第３ピクチャでは、最優先順位のマクロブロックにおいて、Ｍ’＝６個のリフレッシュブロックが設定されている。第４ピクチャでは、最もリフレッシュ順番の小さなマクロブロックの側に４個のリフレッシュブロックが設定され、最優先順位のマクロブロックに２個のリフレッシュブロックが設定されている。最後の第６ピクチャでは、最優先順位のマクロブロックはなく、通常の設定手順で定まるマクロブロックの位置に６個のリフレッシュブロックが設定されている。
【００６１】
このように、本実施の形態３に係る画像符号化装置では、１ピクチャ内のブロックのうち現ブロックが重要領域に含まれている場合に、まず全マクロブロックイントラ符号化を実施し、その重要領域を含むマクロブロックから優先してリフレッシュを行うようにしたので、重要領域の回復が早くなり、より良好な静止画像を得ることができる。
【００６２】
なお、以上の説明では、ＩＮＴＥＲ／ＩＮＴＲＡ判定部は、入力画像の右上から水平方向に左下に向かってリフレッシュの順番を設定するように構成した例について説明したが、その他の順序でマクロブロックの順番を決定した場合についても同様に実施可能である。
【００６３】
【発明の効果】
以上説明したように、本発明によれば、静止画像の符号化時に存在する画質劣化を短時間に回復させ良好な静止画像を得ることができる。
【図面の簡単な説明】
【図１】本発明の実施の形態１に係る画像符号化装置の構成を示すブロック図
【図２】図１に示す画像符号化装置にて実施するサイクリック・リフレッシュ・イントラ符号化でのマクロブロックの配置例を示す図
【図３】本発明の実施の形態２に係る画像符号化装置の構成を示すブロック図
【図４】図３に示す画像符号化装置にて実施するサイクリック・リフレッシュ・イントラ符号化でのマクロブロックの配置例を示す図
【図５】本発明の実施の形態３に係る画像符号化装置の構成を示すブロック図
【図６】（Ａ）及び（Ｂ）は、図５に示す画像符号化装置にて実施するサイクリック・リフレッシュ・イントラ符号化を説明する図
【図７】図５に示す画像符号化装置にて実施するサイクリック・リフレッシュ・イントラ符号化を説明する図
【図８】従来の画像符号化装置で採用されているサイクリック・リフレッシュ・イントラ符号化でのマクロブロックの配置例を示す図
【符号の説明】
１０１  マクロブロック変換部
１０２  減算器
１０３  離散コサイン変換部
１０４  量子化部
１０５  逆量子化部
１０６  逆離散コサイン変換部
１０７  加算器
１０８  フレームメモリ
１０９  動き検出部
１１０，３０２  可変長符号化部
１１１，３０２，５０２  ＩＮＴＥＲ／ＩＮＴＲＡ判定部
１１２  スイッチ
３０１  イントラマクロブロック発生符号量計数部
５０１  重要領域判定部
【図１】
2005012630.tif 000003
【図２】
2005012630.tif 000004
【図３】
2005012630.tif 000005
【図４】
2005012630.tif 000006
【図５】
2005012630.tif 000007
【図６】
2005012630.tif 000008
【図７】
2005012630.tif 000009
【図８】
2005012630.tif 000010